(57)【特許請求の範囲】
【請求項１】
紙幣の入金を受付ける入金部と、
紙幣を出金する出金部と、
現金取引を実行する自動取引処理装置の現金収納部と交換可能な紙幣収納部と、
入出金取引の指示を受付ける入出力部と、
制御部とを有し、
前記制御部は、前記紙幣収納部に収納される紙幣収納量が、第１の閾値と第２の閾値との間に属することを検知すると、前記紙幣収納部が前記現金収納部と交換可能であることを通知する通知画面を前記入出力部に表示することを特徴とする紙幣入出金装置。
【請求項２】
前記制御部は、前記入金部で受付けた紙幣を前記紙幣収納部に収納した後あるいは前記紙幣収納部から繰り出した紙幣を前記出金部に出金した後、前記紙幣収納部に収納される紙幣収納量が、前記第１の閾値と前記第２の閾値との間に属するかを検知することを特徴とする請求項１に記載の紙幣入出金装置。
【請求項３】
前記制御部は、前記紙幣収納部に収納される紙幣収納量が、前記第１の閾値と前記第２の閾値との間に属することを検知すると、前記入出金取引の継続又は中止の指示を受付けることを特徴とする請求項１又は２に記載の紙幣入出金装置。
【請求項４】
前記紙幣収納部を複数有し、
前記制御部は、一の紙幣収納部に収納される紙幣収納量が、前記第１の閾値と前記第２の閾値との間に属することを検知すると、前記一の紙幣収納部に収納される紙幣の種別と同じ種別の紙幣を収納する他の紙幣収納部の有無を判断し、前記他の紙幣収納部が無い場合、前記入出金取引の継続又は中止の指示を受付ける選択画面を前記入出力部に表示することを特徴とする請求項３に記載の紙幣入出金装置。
【請求項５】
前記制御部は、前記他の紙幣収納部が有る場合、前記他の紙幣収納部に収納される紙幣により前記入出金取引を実行することを特徴とする請求項４に記載の紙幣入出金装置。
【請求項６】
前記通知画面には、少なくとも前記紙幣収納量、前記第１の閾値及び前記第２の閾値の情報が含まれることを特徴とする請求項１乃至５に記載の紙幣入出金装置。
【請求項７】
前記制御部は、前記第１の閾値及び前記第２の閾値の指定指示を受付けると、前記第１の閾値及び前記第２の閾値の値を指定する条件指定画面を前記入出力部に表示することを特徴とする請求項１乃至６に記載の紙幣入出金装置。
【請求項８】
管理装置と前記管理装置に接続される複数の自動装置とからなる紙幣取扱システムであって、
前記管理装置は、入出力部と第１制御部とを有し、
前記複数の自動装置の各々は、紙幣の入金を受付ける入金部と、紙幣を出金する出金部と、紙幣を収納する紙幣収納部と、第２制御部とを有し、
前記第２制御部が、前記紙幣収納部に収納される紙幣収納量が第１の閾値と第２の閾値との間に属することを検知すると、
前記第１制御部は、前記紙幣収納部を有する自動装置と異なる他の自動装置の紙幣収納部から前記紙幣収納部と交換可能な交換収納部を特定する交換収納部情報により前記交換収納部を通知する通知画面を前記入出力部に表示することを特徴とする紙幣取扱システム。
【請求項９】
前記第１制御部は、前記紙幣収納部に収納される紙幣と同じ種別の紙幣を収納し、前記紙幣収納量よりも少ない量の紙幣を収納する紙幣収納部を前記交換収納部に決定することを特徴とする請求項８に記載の紙幣取扱システム。
【請求項１０】
前記第１制御部は、前記交換収納部を決定すると、前記紙幣収納部を有する自動装置が、前記紙幣収納部に収納される紙幣の種別と同じ種別の紙幣を収納する他の紙幣収納部を有するかを判断し、前記他の紙幣収納部を有しない場合、該自動装置における入出金取引を継続又は中止する指示を受付ける選択画面を、前記入出力部に表示することを特徴とする請求項８又は９に記載の紙幣取扱システム。
【請求項１１】
前記他の紙幣収納部を有する場合、
前記第１制御部は、前記他の紙幣収納部に収納される紙幣により前記入出金取引を実行することを特徴とする請求項１０に記載の紙幣取扱システム。
【請求項１２】
前記通知画面には、前記紙幣収納部と、一又は複数の前記交換収納部の紙幣の収納情報が含まれることを特徴とする請求項８乃至１１に記載の紙幣取扱システム。
【発明の詳細な説明】
【技術分野】
【０００１】
本発明は、紙幣入出金装置及び紙幣取扱システムに関する。
【背景技術】
【０００２】
銀行などの金融機関等には、顧客が紙幣の入出金等の取引を行う自動取引処理装置（Ａｕｔｏｍａｔｅｄ  Ｔｅｌｌｅｒ  Ｍａｃｈｉｎｅ）が設置される。
【０００３】
また、金融機関等の窓口には、係員が、顧客から直接預かった紙幣の入金や、直接顧客へ受け渡すための紙幣を出金する装置として、紙幣入出金装置（Ｔｅｌｌｅｒ  Ｃａｓｈ  Ｒｅｃｙｃｌｅｒ）が設置される。
【０００４】
自動取引処理装置及び紙幣入出金装置は、それぞれ紙幣を収納する現金収納庫を有し、現金収納庫により入出金等の取引を行っている。また、係員は、顧客が滞りなく取引を行えるよう、現金収納庫を適宜交換して紙幣の補充／回収を行っている。
【０００５】
しかし、現金収納庫を交換するには、装置を停止させる必要があるため、頻繁な交換作業は、顧客の取引時間を制限してしまう。
【０００６】
そこで、先行技術文献１には、現金収納庫の交換頻度を低減するため、同一金種の現金収納庫を複数有する自動取引処理装置において、現金収納庫の収納量に第１と第２の閾値を設け、現金収納庫間で搬送制御を行うことにより、現金収納庫の使用効率を向上させる技術が開示されている。
【先行技術文献】
【特許文献】
【０００７】
【特許文献１】特開２０１１−７６４１６号公報
【発明の概要】
【発明が解決しようとする課題】
【０００８】
しかし、先行技術文献１に開示の技術は、自動取引処理装置内での現金収納庫の使用効率を向上させる技術であり、異なる装置間で現金収納庫の使用効率を向上させるものではない。
【０００９】
金融機関等では、営業店内で稼働する異なる装置間で現金収納庫の運用を図ることにより、業務の運用を効率的に行いたいというニーズがある。特に、自動取引処理装置は、係員不在の場所で、顧客の操作によって多量の入出金取引を行うため、係員は、取引困難になって初めて現金収納庫の交換の契機を把握したり、予め運用に適する紙幣量の交換収納庫を準備するため、現金収納庫に収納する紙幣の調整をしたりしていた。
【００１０】
そのため、現金収納庫の交換作業は、銀行等の業務効率や現金収納庫の運用効率の低下を招き、交換収納庫の紙幣の調整時の違算や紙幣抜取等の不正のおそれも招いている。
【課題を解決するための手段】
【００１１】
上記課題を解決するために、紙幣入出金装置は、紙幣の入金を受付ける入金部と、紙幣を出金する出金部と、現金取引を実行する自動取引処理装置の現金収納部と交換可能な紙幣収納部と、入出金取引の指示を受付ける入出力部と、制御部とを有し、制御部は、紙幣収納部に収納される紙幣収納量が、第１の閾値と第２の閾値との間に属することを検知すると、紙幣収納部が現金収納部と交換可能であることを通知する通知画面を入出力部に表示する。
【発明の効果】
【００１２】
紙幣入出金装置の紙幣収納部に収納される紙幣の枚数を管理することにより、紙幣収納部を効率的に運用することができる。また、運用する紙幣の集約／仕分け作業及びそれに伴う違算や不正を無くし、安全性の高い運用を行うことができる。
【図面の簡単な説明】
【００１３】
【図１】システム構成図の一例を示す図である。
【図２】紙幣入出金装置を平面視した図の一例である。
【図３】紙幣入出金装置の上部領域を概略的に示す図の一例である。
【図４】紙幣入出金装置の内部構成と紙幣搬送経路を概略的に示す断面図の一例である。
【図５】紙幣入出金装置の制御ブロック図の一例である。
【図６】ＴＣＲ収納部管理テーブルの一例を示す図ある。
【図７】条件指定処理の処理フローの一例を説明する図である。
【図８】収納部選択画面の一例を示す図である。
【図９】通知条件設定画面の一例を示す図である。
【図１０】通知処理の処理フローの一例を説明する図である。
【図１１】係員通知画面の一例を示す図である。
【図１２】明細票の一例を示す図である。
【図１３】稼働選択処理の処理フローの一例を説明する図である。
【図１４】稼働選択画面の一例を示す図である。
【図１５】紙幣取扱システムの構成図の一例を示す図である。
【図１６】紙幣取扱システムの制御ブロック図の一例を示す図である。
【図１７】現金情報テーブルの一例を示す図である。
【図１８】接続装置テーブルの一例を示す図である。
【図１９】接続先表示画面の一例を示す図である。
【図２０】通知処理の処理フローの一例を説明する図である。
【図２１】要件判断処理の処理フローの一例を説明する図である。
【図２２】要件判断テーブルの一例を示す図である。
【図２３】候補一覧画面の一例を示す図である。
【図２４】稼働選択処理の処理フローの一例を説明する図である。
【発明を実施するための形態】
【００１４】
以下、本発明の一実施の形態について図面を用いて説明する。
［第１の実施形態］
第１の実施形態は、紙幣入出金装置の紙幣収納庫を自動取引処理装置の現金収納庫として効率的に運用するため、紙幣収納庫に収納される紙幣量を管理して、係員に対し運用の契機を効果的に提案するものである。
【００１５】
図１は、本実施形態の紙幣入出金装置１００及び紙幣入出金装置１００に接続される操作端末１０のシステムの構成図の一例を示す図である。
本実施形態の紙幣入出金装置１００は、銀行等の金融機関の窓口に配置され、係員が、顧客から受け取った紙幣の入金や、顧客の要請に従って紙幣を出金する。
【００１６】
紙幣入出金装置１００は、その外観上、上下に区別される。下部領域は、紙幣を保管する金庫１１０とし、金庫１１０が有する筐体部１１２より上の上部領域を入出金機構部１１６とする。
筐体部１１２は、金属製鋼板から形成され、図１における紙面手前側に、開閉並びに施錠可能な金属製の金庫扉１１３を備え、この金庫扉１１３と共に金庫１１０を構成する。
紙幣入出金装置１００は、金庫扉１１３で閉じられた筐体部１１２に後述の紙幣識別部１７０や紙幣収納部２００などを収容することで、紙幣収納部２００に対するセキュリティを確保している。
【００１７】
入出金機構部１１６は、係員により操作される操作パネル１１８を備えるほか、上面に、後述の入金部１２０と出金部１４０を、図１における紙面手前側から紙面奥側、即ち装置前面側から後面側に掛けて、出金部１４０、入金部１２０の順に隣接して備える。
また、操作端末１０は、紙幣入出金装置１００に接続される。窓口の係員は、操作端末１０を介して紙幣入出金装置１００に処理指示を与えることや、紙幣入出金装置１００の収納状態等を確認することができる。
【００１８】
また、紙幣入出金装置１００は、図２に示すように、顧客応対テーブルＤにて装置後面側が覆われ、入出金機構部１１６の入金部１２０と出金部１４０とを顧客Ｋに視認可能な構成としている。この顧客Ｋによる視認の様子は、図３に示されており、紙幣入出金装置１００は、顧客Ｋの側から、入金部１２０と出金部１４０をこの順に隣接して、入出金機構部１１６に備える。
【００１９】
また、図２に示すように、係員Ｍは、顧客応対テーブルＤを挟んで顧客Ｋと対面し、操作端末１０や操作パネル１１８での所定操作の他、顧客Ｋから預かった紙幣Ｂの入金部１２０への投入や出金部１４０に出金された紙幣の顧客Ｋへの受渡を行う。以下、紙幣入出金装置１００の構成について詳述する。
【００２０】
図４は、紙幣入出金装置１００の内部構成と紙幣搬送経路を概略的に示す断面図である。
図示するように、紙幣入出金装置１００の入出金機構部１１６には、紙幣Ｂの入金を受け付ける入金部１２０と紙幣Ｂを出金する出金部１４０とを隣接配置して備え、金庫１１０の筐体部１１２には、紙幣識別部１７０と搬送機構部１８０と紙幣収納部２００とを収容して備える。こうして金庫１１０に収容された紙幣識別部１７０と紙幣収納部２００は、筐体部１１２により、入出金機構部１１６の入金部１２０と出金部１４０から区画され、筐体部１１２において、紙幣識別部１７０が紙幣収納部２００の上方側に位置する。
【００２１】
また図３に示すとおり、入金部１２０は、出金部１４０よりも紙幣識別部１７０側、即ち後面側に配置され、この入金部１２０と隣接配置された出金部１４０は、入金部１２０の側に壁部１４１を備える。この壁部１４１は、出金部１４０の内部を入金部１２０の側で覆い、その上端の基部１４１ｂに蓋体１４１ｃを隔てて備える。蓋体１４１ｃは、出金部１４０の開口上端を覆うよう開閉自在とされ、出金部１４０に搬送されてきた出金紙幣の飛び出しを防止する。壁部１４１は、入金部１２０の開口上端までしか延びておらず、蓋体１４１ｃにあってもその幅が狭くされている。よって、壁部１４１および蓋体１４１ｃは、顧客応対テーブルＤを隔てた顧客Ｋ（図２参照）が入金部１２０の側から出金部１４０を眺める際の視線を遮らない。また、蓋体１４１ｃが出金部１４０全体を覆う形状になっておらず、その幅が狭い、かつ、中央位置付近に設けられているため、窓口係員Ｍの手の動線の妨げにならないことから入金部１２０への紙幣Ｂの投入の妨げにもならず操作性がよい。
【００２２】
紙幣識別部１７０は、紙幣の金種種別の他、記番号、紙幣真偽、破損状況（リジェクト要否）等を、入出金の過程で鑑別する。紙幣識別部１７０による紙幣識別は、例えば、紙幣をスキャンして得られる画像データ、紙幣の表面の凹凸形状、磁気特性、紫外線などに対する光学特性など種々の情報を利用して行うことができる。紙幣識別部１７０の識別結果は、後述の制御部１９０に出力され、紙幣搬送先のカセットの決定、リジェクト搬送等に用いられる。
【００２３】
搬送部に相当する搬送機構部１８０は、入金部１２０および出金部１４０から紙幣収納部２００に掛けて、紙幣入金経路１８０ＩＮと紙幣出金経路１８０ＯＵＴとを形成する。図４に示すように、紙幣入金経路１８０ＩＮは、入金部１２０から紙幣識別部１７０に到る上流側入金経路１８１を備える。紙幣出金経路１８０ＯＵＴは、紙幣識別部１７０から出金部１４０に到る下流側出金経路１８６を備える。
【００２４】
これら経路を有する搬送機構部１８０は、上記の入出金経路にて入金部１２０と出金部１４０とを紙幣識別部１７０と紙幣収納部２００とに接続して、紙幣を搬送する。紙幣収納部２００は、ＴＣＲ収納部２０１〜２０５を備え、それぞれの収納部に紙幣を収納する。
【００２５】
図５は、紙幣入出金装置１００の制御ブロック図の一例を示す説明図である。
紙幣入出金装置１００は、機能ブロックとして、入金部１２０と、出金部１４０と、紙幣収納部２００のＴＣＲ収納部２０１〜２０５と、紙幣識別部１７０と、操作パネル１１８と、搬送機構部１８０と、制御部１９０とを有する。
【００２６】
入金部１２０は、紙幣が投入されることで紙幣を機構内部へ搬送するための機構であり、その内部に、紙幣繰り出し機構を有し、搬送機構部１８０を介してＴＣＲ収納部に紙幣を入金する。出金部１４０は、係員の指示によりＴＣＲ収納部２０１〜２０５から繰り出した紙幣を出金するための機構である。
【００２７】
ＴＣＲ収納部２０１〜２０５は、金種別に設けられる。また、ＴＣＲ収納部２０１〜２０５は、自動取引処理装置の現金収納庫であるＡＴＭ収納部と互換性を有する。そのため、ＴＣＲ収納部２０１〜２０５とＡＴＭ収納部とを交換することにより、紙幣入出金装置１００で回収された紙幣を、そのまま自動取引処理装置の取扱紙幣として運用することができる。
【００２８】
操作パネルは１１８、紙幣入出金装置１００の入出金等に必要や情報や、紙幣入出金装置１００のエラー情報等を表示するためのパネルである。なお、操作端末１０の入出力部に表示する画面は、操作パネル１１８に表示してもよい。
【００２９】
搬送機構部１８０は、ＴＣＲ収納部２０１〜２０５ごとのゲート２０１ｂを初めとするゲート群と、紙幣搬送経路に複数設置した検知センサの検知センサ群１８８と、紙幣搬送を担う複数の駆動モータの駆動モータ群１８９とを備える。
【００３０】
検知センサ群１８８に含まれる検知センサは、紙幣入金経路１８０ＩＮや紙幣出金経路１８０ＯＵＴにて紙幣搬送状態を検知するほか、入金部１２０や出金部１４０における紙幣有無、ＴＣＲ収納部２０１〜２０５における紙幣収納枚数等を検知し、その検知信号を制御部１９０に出力する。
【００３１】
制御部１９０は、ＣＰＵ１９１と、メモリ１９３とを有する。ＣＰＵ１９１は、主に制御用のマイクロプロセッサからなる。ＣＰＵ１９１は、入金部１２０や出金部１４０に含まれる紙幣送出・搬送に関与する駆動機器等の他、搬送機構部１８０のゲート群、駆動モータ群を、紙幣の入出金搬送に伴い駆動制御する。
【００３２】
メモリ１９３は、ＣＰＵ１９１によって実行されるプログラム及び当該プログラムの実行に必要なデータを記憶する。また、メモリ１９３は、プログラムとＣＰＵ１９１との協働により、上位通信部１９５及びＴＣＲ収納部管理テーブル１９７といった機能部を構成する。ＣＰＵ１９１は、紙幣入出金装置１００での入出金取引実行時にＴＣＲ収納部管理テーブル１９７を参照し情報の更新を行う。
【００３３】
操作端末１０は、係員が、紙幣入出金装置１００に対し入出金等の処理指示や種々の情報を入出力するための端末である。なお、本実施形態では、紙幣入出金装置１００と操作端末１０とを別に図示しているが、操作端末１０の有する機能部を全て紙幣入出金装置１００が有し、係員は、操作端末１０を介さずに処理を行うとしても良い。操作端末１０は、入出力部１１と、明細票を印字するための明細票印字部１３と、制御部１５とを有する。制御部１５は、ＣＰＵ１７及びメモリ１９からなり、メモリ１９は、プログラムとＣＰＵ１７との協働により、通信部２１を構成する。
【００３４】
また、本実施形態では、紙幣入出金装置１００と操作端末１０とが一対応である例を図示しているが、金融機関等には、複数の紙幣入出金装置１００が配置されていることが一般的であり、一台の操作端末１０が、複数台の紙幣入出金装置１００への入力や出力を行うこともできる。
【００３５】
自動取引処理装置では、係員を介さず顧客が入出金等の取引操作を行い、日に多量の入出金取引を取扱う。そのため、自動取引処理装置のＡＴＭ収納部と交換するＴＣＲ収納部２０１〜２０５に収納される紙幣の量が、多すぎ又は少なすぎると、ＡＴＭ収納部の交換作業が頻繁に必要となり、その度に係員が自動取引処理装置を停止して交換作業を行わなければならない。そこで、本実施形態では、ＴＣＲ収納部２０１〜２０５の紙幣の収納量を管理し、ＡＴＭ収納部の交換に適するＴＣＲ収納部を準備する。
【００３６】
図６は、紙幣入出金装置１００の有するＴＣＲ収納部管理テーブル１９７の一例を示す。
ＴＣＲ収納部管理テーブル１９７は、紙幣入出金装置１００のＴＣＲ収納部２０１〜２０５の紙幣の収納状況や、紙幣の収納量を管理するための条件を記憶するテーブルである。
【００３７】
ＴＣＲ収納部管理テーブル１９７は、収納部Ｎｏ．２１０と、金種２１１と、収納枚数２１２と、通知上限２１３と、通知下限２１４と、最大収納枚数２１５と、通知（○／×）情報２１６とから構成される。
【００３８】
収納部Ｎｏ．２１０は、紙幣入出金装置１００のＴＣＲ収納部２０１〜２０５を特定する番号である。金種２１１は、ＴＣＲ収納部２０１〜２０５に収納する紙幣の金種を示す。
収納枚数２１２は、ＴＣＲ収納部２０１〜２０５に収納されている紙幣の枚数を示す。なお、収納枚数２１２は、検知センサ群１８８の検知によって計数される。なお、本実施形態では、収納枚数２１２の値は、入金あるいは出金の取引実行時に更新されるものとするが、それに限られず、所定の時間毎に最新の情報に更新される仕様にしてもよい。
【００３９】
通知上限２１３は、係員に対して通知を行う紙幣枚数の上限値（上限閾値）を示す。通知下限２１４は、係員に対して通知を行う紙幣枚数の下限値（下限閾値）を示す。即ち、制御部１９０は、ＴＣＲ収納部２０１〜２０５の紙幣の収納枚数が、通知上限２１３と通知下限２１４との範囲に属する場合、係員に対して通知を行う。
【００４０】
なお、通知上限２１３と通知下限２１４の値は、後述のカセット条件指定処理により、係員が指定する。係員は、紙幣入出金装置や自動取引処理装置の稼働場所、稼働時期、稼働方法や入出金傾向の特性等、実際の稼働実績を考慮して、最適な値を指定する。
【００４１】
本実施形態では、通知条件として以上の通知上限と通知下限とを設けることにより、自動取引処理装置の運用に適する枚数の紙幣が収納されるＴＣＲ収納部２０１〜２０５を準備する。
【００４２】
最大収納枚数２１５は、ＴＣＲ収納部２０１〜２０５に収納できる最大の収納枚数の値を示す。
通知情報２１６は、ＴＣＲ収納部２０１〜２０５が、通知に適する状態にあるか否かを示す情報である。本実施形態では、収納枚数２１２が、通知上限２１３と通知下限２１４との範囲内にある場合、ＴＣＲ収納部２０１〜２０５がＡＴＭ収納部の交換に適している状態であると判断し、係員に通知を行う。通知する状態を○で、通知しない状態を×で記憶する。
【００４３】
例えば、収納部Ｎｏ．１の千円紙幣を収納するＴＣＲ収納部は、現在の収納枚数が２４６８枚であり、通知上限２６００枚と通知下限２４００枚との間に該当するため、通知情報２１６は○となる。
【００４４】
図７は、制御部１９０が、ＴＣＲ収納部２０１〜２０５に通知条件を指定する際に行う条件指定処理の処理フローを示す図である。
まず、Ｓ７０１で、制御部１９０が、係員の入力によりＴＣＲ収納部２０１〜２０５の条件指定の指示を受付けると、収納部選択画面８００を表示する（Ｓ７０３）。係員は、収納部選択画面８００を確認することにより、ＴＣＲ収納部２０１〜２０５の状態を見ながら、どのＴＣＲ収納部２０１〜２０５に通知条件を指定するかを選択する。
【００４５】
次いで、Ｓ７０５で、制御部１９０は、収納部選択画面８００において収納部が選択されたことを検知すると（Ｓ７０５：Ｙｅｓ）、通知条件設定画面９００を表示する（Ｓ７０７）。係員は、通知条件設定画面９００にて、ＴＣＲ収納部２０１〜２０５の通知条件（通知上限及び通知下限の値）を設定する。
【００４６】
通知条件は、上述の通り、係員が、紙幣入出金装置１００や自動取引処理装置の稼働場所、稼働時期、稼働方法や入出金傾向の特性等の実際の稼働実績を考慮して、最適な値を各ＴＣＲ収納部に対して指定する。また、予め定めた値を、全てのＴＣＲ収納部あるいは金種毎のＴＣＲ収納部に自動で設定するようにしてもよい。
【００４７】
次いで、通知条件が入力されると、制御部１９０は、入力された値を登録する（Ｓ７０９）。
入力値の登録後及び収納部選択指示を受付けていない場合（Ｓ７０５：Ｎｏ）、Ｓ７１１で、明細票印字の指示を受付けているかを判断する。明細票には、ＴＣＲ収納部２０１〜２０５の紙幣の収納枚数や、通知条件等が印字される。印字される明細票の一例を図１２に示す。明細票印字の指示を受付ける場合（Ｓ７１１：Ｙｅｓ）、明細票の印字を操作端末１０に指示し、受付けていない場合（Ｓ７１１：Ｎｏ）、処理を終了する。
【００４８】
図８は、条件指定処理のＳ７０３で表示する収納部選択画面８００の一例を示す。
収納部選択画面８００には、紙幣入出金装置１００に構成されるＴＣＲ収納部２０１〜２０５の通知条件（通知上限及び通知下限の値）と現状の収納状態とが表示される。また、係員に対し通知条件を新規設定又は変更するＴＣＲ収納部２０１〜２０５を選択するように誘導する情報が表示される。
【００４９】
係員は、ＴＣＲ収納部２０１〜２０５の紙幣の収納状態を見ながら、どのＴＣＲ収納部２０１〜２０５に通知条件を指定するかを選択することができる。また、収納部選択画面８００には、印刷ボタンが設けられ、係員は、印刷ボタンを選択することにより明細票を印字することができる。なお、本図面には図示していないが、全てのＴＣＲ収納部あるいは金種別のＴＣＲ収納部を一括で選択できるようにしてもよい。
【００５０】
図９は、条件指定処理のＳ７０７で表示する通知条件設定画面９００の一例を示す。
通知条件設定画面９００には、例えば、ＴＣＲ収納部２０１〜２０５の収納紙幣枚数と、通知条件と、通知条件の値を指定するためのテンキーとが表示される。係員は、テンキー入力により、選択したＴＣＲ収納部に対し通知条件を設定する。なお、通知条件の入力は、テンキーに限られず別途入力部を介して行うのでもよい。
【００５１】
また、通知条件の新規設定や設定変更は、紙幣入出金装置１００の電源立ち上げ時に限られず、いつでも行うことができる。そのため、係員は、紙幣の収納状態を確認しながら、運用に適する通知条件を適宜設定することができる。
【００５２】
以上のように、本実施形態では、ＴＣＲ収納部にＡＴＭ収納部の運用に適する通知上限及び通知下限の値を適宜設定できるため、ＴＣＲ収納部をＡＴＭ収納部として柔軟に運用することができる。
【００５３】
図１０は、制御部１９０が行う通知処理の処理フローの一例を示す。
まず、Ｓ１００１で、取引開始を検知すると、検知した取引種類が入金／出金のいずれの取引であるかを判断する（Ｓ１００３）。取引が入金取引である場合、入金部１２０に投入された紙幣を紙幣鑑別部１７０で鑑別し、紙幣をＴＣＲ収納部２０１〜２０５に収納する（Ｓ１００５）。取引が出金取引である場合、ＴＣＲ収納部２０１〜２０５から紙幣を繰り出し、出金部１４０に紙幣を搬送する。
【００５４】
次いで、Ｓ１００９で、制御部１９０は、入出金取引後の情報でＴＣＲ収納部管理テーブル１９７を更新して、取引を終了する（Ｓ１０１１）。
次に、Ｓ１０１３で、制御部１９０は、ＴＣＲ収納部管理テーブル１９７を参照して、収納枚数が、通知上限と通知下限との範囲内に属するか、即ち通知条件に該当しているかを判断する。
【００５５】
通知条件に該当する場合（Ｓ１０１３：Ｙｅｓ）、Ｓ１０１５で係員通知画面１１００を表示する。係員通知画面１１００は、通知条件に該当するＴＣＲ収納部を係員に通知する画面である。係員通知画面１１００については、図１１を用いて後述する。
係員は、係員通知画面１１００を確認することにより、ＡＴＭ収納部の交換に適するＴＣＲ収納部２０１〜２０５を即時に把握できる。また、通知条件に該当しない場合（Ｓ１０１３：Ｎｏ）、処理を終了する。
本実施形態では、入金又は出金取引の動作後に、通知条件に該当するか否かを判断するため、次の取引を実行する前に、事前に係員に対して運用の契機を通知することができる。また、入金又は出金取引実行する度、即ち紙幣の収納枚数に変動がある度に以上の通知処理を実行することにより、係員に対し運用の契機を取り残しなく通知することができる。
【００５６】
以上のように、本実施形態では、ＴＣＲ収納部の紙幣量を管理し、ＡＴＭ収納部の交換に適する紙幣量になると係員に通知することで、交換の契機を効果的に提案することができる。そのため、係員は、交換可能なＴＣＲ収納部を迅速かつ的確に把握することができ、ＴＣＲ収納部とＡＴＭ収納部との間で効率的に収納部を運用することができる。また、係員が、運用のためにＴＣＲ収納部に収納される紙幣量を調整する必要がないため、紙幣量を調整する際に生じていた違算や紙幣抜取等の不正を生じさせることなく、安全性の高い業務を遂行することができる。
【００５７】
図１１は、通知処理のＳ１０１３で表示する係員通知画面１１００の一例を示す。
係員通知画面１１００では、係員が、通知条件に該当するＴＣＲ収納部２０１〜２０５を即時に判別できるように、他のＴＣＲ収納部とは区別できる強調表示する等して通知を行う。また、印刷ボタンを選択することにより、ＴＣＲ収納部２０１〜２０５の収納情報を明細票に印字することができる。図１１は、「収納部２」の収納枚数が、通知上限と通知下限との間に該当し、ＡＴＭ収納部への運用に適している状態であることを示している。
【００５８】
図１２は、印字される明細票１２００の一例を示す。
明細票１２００には、ＴＣＲ収納部管理テーブル１９７の種々の情報が印字され、係員は、明細票１２００に印字することによりＴＣＲ収納部２０１〜２０５の収納状態を適宜確認することができる。
【００５９】
また、係員は、ＴＣＲ収納部をＡＴＭ収納部として運用するタイミングを、紙幣入出金装置での顧客対応状況や自動取引処理装置の稼働状況を考慮して判断したい場合がある。そこで、以降では、ＴＣＲ収納部が通知条件に該当した場合、係員にＴＣＲ収納部としての稼働を優先するかＡＴＭ収納部の交換収納部としての運用を優先するかを選択させることができる稼働選択処理について説明する。
【００６０】
図１３は、制御部１９０が行う稼働選択処理の処理フローを説明する図である。
Ｓ１００１〜Ｓ１０１５については、図１０の通知処理と同様であるため説明を省略する。
【００６１】
通知条件に該当するＴＣＲ収納部が存在し、係員通知画面１１００を表示すると、制御部１９０は、Ｓ１３０１で、紙幣入出金装置１００に通知条件に該当するＴＣＲ収納部と同じ金種の他のＴＣＲ収納部が存在するかを判断する。他のＴＣＲ収納部がない場合（Ｓ１３０１：Ｎｏ）、稼働選択画面１４００を表示する（Ｓ１３０３）。
【００６２】
また、他のＴＣＲ収納部がある場合（Ｓ１０１７：Ｙｅｓ）、稼働選択処理を終了する。なお、紙幣入出金装置１００は、他のＴＣＲ収納部に収納される紙幣を使用して、入出金取引を継続する。
【００６３】
稼働選択画面１４００は、紙幣入出金装置１００としての稼働を継続あるいは中止するかを係員に判断させる画面である。他のＴＣＲ収納部がない場合、他の収納部を使って取引を継続することができないため、ＴＣＲ収納部として運用を継続するか、ＡＴＭ収納部の交換収納部として運用するかどうかを係員に選択させる必要があるためである。
【００６４】
図１４は、稼働選択処理のＳ１３０３で表示する稼働選択画面１４００の一例を示す。
稼働選択画面１４００には、紙幣入出金装置１００の稼働の継続又は中止を選択できる情報が表示される。また、通知条件に該当するＴＣＲ収納部の状態情報があわせて表示される。
【００６５】
以上のように、係員は、窓口での顧客対応状況や自動取引処理装置の稼働状況を考慮して、稼働選択画面により紙幣入出金装置の稼働を継続／中止するかを判断することができる。そのため、係員は、状況に応じた効率的な業務を遂行することができる。また、紙幣入出金装置は、係員により入出金操作される。そのため、係員は、次の入出金取引で取扱う紙幣量を確認し、その紙幣量を考慮した上で稼働の継続あるいは中止を判断することができる。
【００６６】
［第２の実施形態］
第２の実施形態では、紙幣収納庫に収納される紙幣量を管理すると共に、交換先として適している現金収納庫を特定することにより、紙幣入出金装置の紙幣収納庫を自動取引処理装置の現金収納庫として効率的に運用するものである。
【００６７】
図１５は、本実施形態の紙幣取扱システムの構成図を示す。
本実施形態のシステムは、紙幣入出金装置１００と、自動取引処理装置３００と、上位装置である管理装置５０と、これらを接続するネットワーク６０とから構成される。なお、紙幣入出金装置１００及び自動取引処理装置３００は、一又は複数台接続されるものとする。
【００６８】
図１６は、紙幣取扱システムの制御ブロック図の一例を示す説明図である。
紙幣入出金装置１００は、第１の実施形態と同様であるため説明を省略する。
自動取引処理装置３００は、機能ブロックとして、入金部３０１と、出金部３０３と、ＡＴＭ収納部３０５と、紙幣識別部３１０と、操作パネル３１２と、搬送機構部３１４と、利用明細を印刷発行する明細書発行部３２０と、通帳を受付けて印字を行う通帳印字部３２２と、利用者の口座番号などの情報が記録された記録媒体であるカードを取り扱うカード部３２４と、制御部３３０とを有する。
【００６９】
制御部３３０は、ＣＰＵ３３２とメモリ３３４とを有する。ＣＰＵ３３２は、主に制御用のマイクロプロセッサからなる。ＣＰＵ３３２は、入金部３０１、出金部３０３、明細書発行部３２０、通帳印字部３２２やカード部に含まれる駆動機器の他、搬送機構部３１４のゲート群３０５ｂ、駆動モータ群３１８を駆動制御する。
【００７０】
メモリ３３４は、ＣＰＵ３３２によって実行されるプログラム及び当該プログラムの実行に必要なデータを記憶する。また、メモリ３３４は、プログラムとＣＰＵ３３２との協働により、上位通信部３３６及び現金情報テーブル３３８といった機能部を構成する。ＣＰＵ３３２は、入出金等の取引実行時に現金情報テーブル３３８を参照し情報の更新を行う。また、ＣＰＵ３３２は、現金情報テーブル３３８を参照し、要件判断処理（図２１）を実行する。
【００７１】
管理装置５０は、紙幣入出金装置１００及び自動取引処理装置３００接続され、通知条件に該当する紙幣収納部がある場合に、運用に適するＡＴＭ収納部を決定する。
管理装置５０は、入出力部５１と制御部５２とを有する。係員は、入出力部５１により紙幣入出金装置１００や自動取引処理装置３００に対して処理指示を与えることや、種々の情報を表示することができる。
【００７２】
制御部５２は、ＣＰＵ５３とメモリ５４とを有する。ＣＰＵ５３は、主に制御用のマイクロプロセッサからなる。メモリ５４は、ＣＰＵ５３によって実行されるプログラム及び当該プログラムの実行に必要なデータを記憶し、プログラムとＣＰＵ５３との協働により、通信部５５と、接続装置テーブル５６と、要件判断テーブル５７といった機能部を構成する。ＣＰＵ５３は、要件判断テーブル５７を参照し、通知処理（図２０）を実行する。
【００７３】
図１７は、自動取引処理装置３００のメモリ３３４に格納される現金情報テーブル３３８の一例を示す。
現金情報テーブル３３８は、自動取引処理装置３００で実行した取引の取引時間３４０と、取引種別３４２と、金種別の収納カセットの紙幣収納枚数３４４とからなる。
自動取引処理装置３００で行われる取引には、入金取引や出金取引の他、振込取引や通帳印字等がある。本実施形態では、現金情報テーブル３３８は、全ての取引実行時に更新されるものとするが、ＡＴＭ収納部３０５に収納される紙幣の枚数に変化があった取引実行時のみ更新されるものとしてもよい。
【００７４】
図１８は、管理装置５０のメモリ５４に格納される接続装置テーブル５６の一例を示す。
接続装置テーブル５６は、管理番号１８０１と、装置名１８０３と、ＩＰアドレス１８０５と、サブネットマスク１８０７と、デフォルトゲートウェイ１８０９とからなる。
【００７５】
装置名１８０３は、管理装置５０に接続される装置名称を示す。ＩＰアドレス１８０５は、ネットワークに接続される装置に割り振られる識別番号である。サブネットマスク１８０７とは、ＩＰアドレスと、ネットワークを示すネットワークアドレスと、ホストを示すホストアドレスとを識別するための値である。デフォルトゲートウェイ１８０９とは、紙幣入出金装置１００と自動取引処理装置３００とが接続する際に、通信対象が不明である場合に送信する中継機器のＩＰアドレスを示す。
【００７６】
紙幣入出金装置１００は、サブネットマスク１８０７により接続先の自動取引処理装置３００が、同じネットワーク６０内に存在するかを判断することができる。また、紙幣入出金装置１００は、デフォルトゲートウェイ１８０９を中継することで異なるネットワーク６０に存在する自動取引処理装置３００と通信できる。例えば、ネットワークがフロアごとに区切られた店舗内であっても、紙幣入出金装置１００は、デフォルトゲートウェイを中継することにより他のフロアに存在する自動取引処理装置３００の現金情報テーブル３３８の情報を取得できる。
【００７７】
図１９は、管理装置５０に表示する接続先表示画面１９００の一例を示す。
係員は、接続先表示画面１９００により管理装置５０と接続する紙幣入出金装置１００や自動取引処理装置３００の追加や削除等の設定変更を柔軟に行うことができる。また、接続される装置群を一覧で確認することができるため、容易にシステムを管理することができる。
【００７８】
図２０は、制御部５２が行う第２の実施形態の通知処理の処理フローの一例を示す。
なお、本実施形態のＴＣＲ収納部２０１〜２０５も第１の実施形態と同様に、通知条件となる通知上限及び通知下限が指定される。但し、条件指定の方法は、第１の実施形態の条件指定処理（図７）と同様であるため説明を省略する。
【００７９】
Ｓ１９０１で、制御部５２は、通知条件に該当するＴＣＲ収納部２０１〜２０５を有する紙幣入出金装置１００を検知する場合（Ｓ１９０１：Ｙｅｓ）、Ｓ１９０３で要件判断処理を行う。
【００８０】
要件判断処理とは、通知対象となったＴＣＲ収納部２０１〜２０５と交換可能な自動取引処理装置３００のＡＴＭ収納部３０５を決定する処理である。要件判断処理の詳細については、図２１を用いて後述する。本実施形態では、要件判断処理を行うことにより、交換可能なＴＣＲ収納部をＡＴＭ収納部へ効率良く運用することができる。
【００８１】
要件判断処理により、ＴＣＲ収納部２０１〜２０５と交換可能なＡＴＭ収納部３０５が有ると判断されると（Ｓ１９０５：Ｙｅｓ）、Ｓ１９０７で、入出力部５１に候補一覧画面を表示する。また、交換可能なＡＴＭ収納部３０５が無いと判断されると（Ｓ１９０５：Ｎｏ）、処理を終了する。
候補一覧画面には、通知対象となったＴＣＲ収納部２０１〜２０５の情報や、該ＴＣＲ収納部の交換候補となるＡＴＭ収納部３０５を表示する。候補一覧画面については、図２３で後述する。
【００８２】
係員は、候補一覧画面を確認することにより、通知条件に該当するＴＣＲ収納部の有無と共に、該ＴＣＲ収納部と交換できるＡＴＭ収納部の候補を即時に知ることができる。そのため、係員が、交換先となるＡＴＭ収納部を逐次検討することなく収納部の交換作業を行うことができ、ＴＣＲ収納部を効率よくＡＴＭ収納部として運用することができる。
【００８３】
図２１は、通知処理のＳ１９０３で行う要件判断処理（Ｓ１９０３）のフローの一例を示す。
要件判断処理では、通知対象となったＴＣＲ収納部２０１〜２０５と交換可能なＡＴＭ収納部３０５を決定する。
【００８４】
まず、Ｓ２００１で、紙幣入出金装置１００は、通知条件に一致するＴＣＲ収納部がある場合、管理装置５０に対して、リクエスト情報を送信する。リクエスト情報には、少なくとも通知条件に該当したＴＣＲ収納部を有する紙幣入出金装置名と、該ＴＣＲ収納部に収納される金種情報と、装填枚数とが含まれる。ここでは、紙幣入出金装置のＴＣＲ収納部に収納される紙幣の枚数を装填枚数と呼ぶ。その他、通知条件に該当した時間情報等をリクエスト情報として送信しても良い。
【００８５】
管理装置５０は、リクエスト情報を受信すると、自動取引処理装置３００に対し、リクエスト情報及び交換カセット候補確認要求を送信する（Ｓ２００３）。
交換カセット候補確認要求は、紙幣入出金装置１００のＴＣＲ収納部と交換可能なＡＴＭ収納部３０５が存在するかを確認するための問い合わせ通知である。なお、本実施形態では、管理装置５０を介してリクエスト情報及び交換カセット候補確認要求を自動取引処理装置３００に通知するものとしているが、紙幣入出金装置１００から直接自動取引処理装置３００に通知するものとしてもよい。
【００８６】
自動取引処理装置３００は、受信したリクエスト情報及び交換カセット候補確認要求により、通知条件に該当したＴＣＲ収納部と同じ金種のＡＴＭ収納部３０５を抽出する。そして、通知条件に該当したＴＣＲ収納部の装填枚数と、抽出されたＡＴＭ収納部３０５の収納枚数とを比較する（Ｓ２００５）。
【００８７】
なお、自動取引処理装置３００に同じ金種のＡＴＭ収納部３０５が複数存在する場合、それらの中で収納枚数が一番少ないＡＴＭ収納部３０５における収納枚数を、装填枚数と比較するものとする。
【００８８】
ＡＴＭ収納部３０５の収納枚数が、ＴＣＲ収納部２０１〜２０５の装填枚数より少ない場合（Ｓ２００５：Ｙｅｓ）、Ｓ２００７で、該ＡＴＭ収納部３０５を交換先となる収納部の候補に決定する。
Ｓ２００９で、自動取引処理装置３００は、管理装置５０に対し交換収納部候補情報を送信する。交換収納部候補情報は、少なくとも交換先のＡＴＭ収納部３０５を有する自動取引処理装置３００を特定する情報と、該ＡＴＭ収納部３０５が収納している紙幣の金種と、その収納枚数とを含む。
【００８９】
次いで、Ｓ２０１１で、管理装置５０は、交換収納部候補情報により要件判断テーブル５７を更新する。要件判断テーブル５７は、通知条件に該当したＴＣＲ収納部と、該ＴＣＲ収納部と交換可能なＡＴＭ収納部の情報を集約するものである。
【００９０】
以上のように、本実施形態では、要件判断処理を行うことにより、通知対象となったＴＣＲ収納部と交換可能なＡＴＭ収納部を自動かつ即時に抽出することができる。
【００９１】
なお、本実施形態では、紙幣入出金装置が、Ｓ２００１で、リクエスト情報を送信することを契機に自動取引処理装置の交換収納部候補を決定しているがこれに限られない。例えば、紙幣量の過不足あるＡＴＭ収納部を検知すると、紙幣入出金装置にリクエストを送信し、通知条件に該当するＴＣＲ収納部を抽出するとしてもよい。
【００９２】
図２２は、要件判断テーブル５７の一例を示す図である。
要件判断テーブル５７は、管理装置５０のメモリ５４に格納され、候補一覧画面２３００を表示する際の情報となる。要件判断テーブル５７は、リクエスト情報５８と交換収納部候補情報５９とから構成される。
【００９３】
リクエスト情報５８は、要件判断処理のＳ２００１において、紙幣入出金装置１００から管理装置５０に送信される情報である。リクエスト情報５８には、通知条件に該当したＴＣＲ収納部を有する紙幣入出金装置名と、該ＴＣＲ収納部に収納される金種情報と、装填枚数とが含まれる。
【００９４】
交換収納部候補情報５９は、要件判断処理のＳ２００９において、自動取引処理装置３００から管理装置５０に送信される情報である。
交換収納部候補情報５９は、装置名と、金種と、収納枚数とからなる。装置名は、交換候補として抽出されたＡＴＭ収納部３０５を有する自動取引処理装置３００の名称を示す。金種及び収納枚数は、該ＡＴＭ収納部３０５が収納する紙幣の金種及び枚数を示す。
【００９５】
なお、紙幣入出金装置から送信されるリクエスト情報に対して、交換先となるＡＴＭ収納部が複数抽出される場合もある。図２１は、「ＴＣＲ００１」のリクエスト情報に対し、交換先として３つの自動取引処理装置３００のＡＴＭ収納部３０５が決定された様子を示す。
【００９６】
図２３は、管理装置５０の入出力部５１に表示される候補一覧画面２３００の一例を示す。
候補一覧画面２３００には、通知条件に該当したＴＣＲ収納部２０１〜２０５の収納状態が示される。また、交換候補として抽出されたＡＴＭ収納部３０５の収納状態が、あわせて表示される。
交換候補となるＡＴＭ収納部３０５が複数ある場合、収納枚数の少ないＡＴＭ収納部３０５から順に表示してもよいし、収納枚数が最小のＡＴＭ収納部３０５を強調表示してもよい。
【００９７】
以上のように、本実施形態では、紙幣入出金装置で通知条件に該当するＴＣＲ収納部を通知すると共に、交換先の候補となる自動取引処理装置のＡＴＭ収納部を抽出して通知する。そのため、係員は、通知情報を確認することにより、ＴＣＲ収納部の交換の契機を図ることや、交換先となるＡＴＭ収納部を逐次検討する必要がない。また、自動取引処理装置での取引が困難になる前に交換作業を行うこともでき、装置を停止させて顧客の取引を制限してしまう時間を低減することもできる。また、交換の際に、ＴＣＲ収納部の紙幣を集約／仕分けする調整作業を行う必要もないため、効率的に収納部を運用することができる共に、違算や不正のない、安全性の高い業務を遂行することができる。
【００９８】
また、第１の実施形態の稼働選択処理を第２の実施形態に適用することもできる。
図２４は、第２の実施形態の稼働選択処理を説明する処理フローの一例を示す。
Ｓ１９０１〜Ｓ１９０５については、図２０の通知処理と同様であるため説明を省略する。
【００９９】
Ｓ１９０５で、通知条件に該当したＴＣＲ収納部２０１〜２０５と交換可能なＡＴＭ収納部３０５が有る場合、Ｓ２４０１で、該ＴＣＲ収納部に収納する金種と同じ金種を収納する他のＴＣＲ収納部が有るかを判断する。
【０１００】
通知条件に該当したＴＣＲ収納部と同じ金種の紙幣を収納するＴＣＲ収納部がない場合（Ｓ２４０１：Ｎｏ）、Ｓ２４０３で稼働選択画面を入出力部に表示する。また、通知条件に該当したＴＣＲ収納部と同じ金種を収納するＴＣＲ収納部がある場合（Ｓ２４０１：Ｙｅｓ）、処理を終了する。
【０１０１】
稼働選択画面は、第１の実施形態の図１４と同様に、紙幣入出金装置１００の稼働の継続又は中止を選択できる情報を表示する画面である。ＴＣＲ収納部が通知条件に該当し、交換可能なＡＴＭ収納部が存在していても、同じ金種の紙幣を収納するＴＣＲ収納部が無い場合、紙幣入出金装置１００での取引を優先するか、ＡＴＭ収納部との交換を優先するかを係員に判断させることができる。
【０１０２】
また、以上では、交換可能な自動取引処理装置のＡＴＭ収納部を決定し、紙幣入出金装置のＴＣＲ収納庫を運用する手法について説明したが、本手法は、自動取引処理装置間を含む自動装置間で現金収納部を運用する際にも適用することもできる。例えば、一の自動取引処理装置のＡＴＭ収納部での紙幣収納量が、通知条件に該当することを検知すると、他の自動取引処理装置のＡＴＭ収納部の収納状態を把握して交換収納部候補を決定するようにしても良い。
【０１０３】
以上、本発明を実施するための形態を説明したが、本発明はこれらの例に限定されるものではなく、その趣旨を逸脱することのない範囲で種々の構成や動作を適用可能である。
また、実施形態における各機能部は、プログラムとＣＰＵの協働によって実現する例について説明したが、これらの一部や全部をハードウェアとして実現することも可能である。
さらに、実施形態において各種テーブル形式で管理する情報は、テーブル形式に限られるものではない。また、各種情報は、各装置の入出力部に出力することができる。
【符号の説明】
【０１０４】
１０…操作端末
１１、５１…入出力部
１３…明細票印字部
１５、５２、３３０…制御部
１７、５２、１９１、３３２…ＣＰＵ
１９、５４、１９３、３３４…メモリ
２１、５５…通信部
５０…管理装置
５６…接続装置テーブル
５７…要件判断テーブル
６０…ネットワーク
１００…紙幣入出金装置
１１８、３１２…操作パネル 
１２０、３０１…入金部
１４０、３０３…出金部 
１７０、３１０…紙幣識別部
１８０、３１４…搬送機構部
１９５、３３６…上位通信部
１９７…ＴＣＲ収納部管理テーブル
３００…自動取引処理装置
３２０…明細書発行部
３２２…通帳印字部
３２４…カード部
３３８…現金情報テーブル
【図１】
0006464047.tif 000002
【図２】
0006464047.tif 000003
【図３】
0006464047.tif 000004
【図４】
0006464047.tif 000005
【図５】
0006464047.tif 000006
【図６】
0006464047.tif 000007
【図７】
0006464047.tif 000008
【図８】
0006464047.tif 000009
【図９】
0006464047.tif 000010
【図１０】
0006464047.tif 000011
【図１１】
0006464047.tif 000012
【図１２】
0006464047.tif 000013
【図１３】
0006464047.tif 000014
【図１４】
0006464047.tif 000015
【図１５】
0006464047.tif 000016
【図１６】
0006464047.tif 000017
【図１７】
0006464047.tif 000018
【図１８】
0006464047.tif 000019
【図１９】
0006464047.tif 000020
【図２０】
0006464047.tif 000021
【図２１】
0006464047.tif 000022
【図２２】
0006464047.tif 000023
【図２３】
0006464047.tif 000024
【図２４】
0006464047.tif 000025